(57)【要約】【課題】複数の署所において同一の無線周波数を使用する場合であっても、各々の署所に対する指令を適切に受信する。【解決手段】  緊急通報指令システム１は、緊急通報を受け付ける受付台に接続された指令設備１０と、指令設備１０に接続された複数の署所の受信設備３０に対して有線回線及び／又は無線回線を用いて指令を送出する。指令設備１０は、各署所に対して指令を送出する際の有線回線の状態を監視し、有線回線に障害が発生した場合に、各署所に対して固有に割り当てられたＩＤが登録された無線バックアップ情報データベース１９を参照し、障害対象の署所に対応するＩＤを付与した指令開始信号を、無線回線を用いて複数の署所に対して送出すると共に、障害対象の署所に対する指令を無線回線を介して送出する。受信設備３０は、指令開始信号を受信した場合に、指令開始信号に含まれるＩＤに基づき、使用する回線を有線回線から無線回線に切り替える。【選択図】図１
2013258442.tif 000002
【特許請求の範囲】
【請求項１】
緊急通報を受け付ける受付台に接続された指令設備と、該指令設備に接続された複数の署所に設けられた受信設備に対して有線回線及び／又は無線回線を用いて指令を送出する緊急通報指令システムであって、
各々の署所に対して指令を送出する際に使用する有線回線の状態を監視すると共に、所定の有線回線に障害が発生したと判断した場合に、前記障害対象の有線回線で接続された署所に対して指令を送出する際の回線を、有線回線から無線回線に切り替えるように制御する中央制御装置と、
前記各々の署所に対して固有に割り当てられた識別情報と、前記各々の署所に対して無線回線を用いて無線通信を行う際に使用する無線周波数を示す無線周波数情報と、前記無線通信の際に使用する基地局を示す無線基地局情報とが互いに関連付けられて登録された無線バックアップ情報データベースとを備える指令設備と、
前記無線回線を用いて前記指令設備からの指令を受信する無線受令機と、
前記有線回線を用いて前記指令設備からの指令を受信すると共に、前記無線受令機で前記指令を受信した場合に、前記無線受令機を介して前記指令を受信する指令受信装置とを備える受信設備とからなり、
前記中央制御装置は、所定の有線回線に障害が発生したと判断した場合に、前記無線バックアップ情報データベースを参照し、前記障害対象の有線回線で接続された署所に対応する識別情報を付与した指令開始信号を、無線回線を用いて前記複数の署所に対して送出すると共に、前記障害対象の有線回線に接続された署所に対する指令を前記無線回線を介して送出し、
前記無線受令機は、前記無線回線を用いて送出された前記指令開始信号を受信し、前記指令開始信号に含まれる前記識別情報に基づき、前記指令受信装置に対する回線を有線回線から無線回線に切り替えるように前記指令受信装置を制御すると共に、前記無線回線を介して受信した前記指令を前記指令受信装置に対して送出することを特徴とする緊急通報指令システム。
【請求項２】
前記中央制御装置は、前記所定の有線回線に発生した障害が復旧したと判断した場合に、前記無線バックアップ情報データベースを参照し、前記障害が復旧した有線回線で接続された署所に対応する識別情報を付与した指令復旧信号を、無線回線を用いて前記複数の署所に対して送出し、
前記無線受令機は、前記無線回線を用いて送出された前記指令復旧信号を受信し、前記指令復旧信号に含まれる前記識別情報に基づき、前記指令受信装置に対する回線を無線回線から有線回線に切り替えるように前記指令受信装置を制御することを特徴とする請求項１に記載の緊急通報指令システム。
【請求項３】
前記中央制御装置は、
前記指令受信装置に接続された有線回線の状態を判断するための回線監視信号を、前記指令受信装置に対して所定の周期で送出し、
前記回線監視信号に対する応答を示す回線監視応答信号を所定時間以上受信しない場合に、前記有線回線に障害が発生したと判断することを特徴とする請求項１又は２に記載の緊急通報指令システム。
【請求項４】
前記中央制御装置から前記無線回線を介して送出される前記指令開始信号、前記指令復旧信号及び／又は前記指令は、デジタル無線を用いて前記無線受令機に対して送出されることを特徴とする請求項１、２又は３に記載の緊急通報指令システム。
【発明の詳細な説明】
【技術分野】
【０００１】
本発明は、緊急通報指令システムに関し、特に、有線指令回線に障害が発生した際に、有線指令回線から無線指令回線に切り替えることが可能なシステムに関する。
【背景技術】
【０００２】
従来、１１９番通報等の緊急通報指令システムにおいて、消防等の受付台で受け付けた緊急通報に対して署所に緊急車両出動指令を送出する場合には、有線による指令回線を用いて指令を送出するが、何らかの原因により、有線回線に対して障害が発生する虞があるため、近年では、指令対象の有線による指令回線に障害が発生した場合に、当該署所に対して無線回線を用いて指令を送出することが可能になっている（例えば、特許文献１）。
【０００３】
この場合、各署所においては、無線回線を使用する際の所定の無線周波数が予め割り当てられており、無線回線を用いて指令を送出する際には、指令を送出する指令設備から、障害対象の署所に割り当てられた無線周波数の回線に対してバックアップ指令が送出される。
【０００４】
例えば、指令設備は、署所に設置された無線受令機に対して、所定の周波数を用いた無線指令起動トーン信号を送出する。そして、無線受令機は、起動トーン信号を受信し、受信した起動トーン信号に基づきアンプ起動信号を指令受信装置に対して送出し、指令受信装置経由で無線指令を全館に放送することができる。
【０００５】
一方、無線回線を介した指令を終了する場合、指令設備は、同一の無線周波数に対して無線指令の復旧トーン信号を送出する。そして、無線受令機は、復旧トーン信号を受信し、受信した復旧トーン信号に基づきアンプ復旧信号を指令受信装置に対して送出し、指令受信装置経由で無線指令の全館放送を復旧することができる。
【先行技術文献】
【特許文献】
【０００６】
【特許文献１】特開昭６１−１３１９２１号公報
【発明の概要】
【発明が解決しようとする課題】
【０００７】
ところで、消防等で使用可能な無線周波数は、署所の数と比較して少ないため、複数の署所の各々に設置された無線受令機に対して無線周波数を個別に割り当てることができない。そのため、通常は、所定数の署所に対して同一の無線周波数を割り当てることになる。従って、同一の無線周波数が割り当てられた署所では、共通の無線周波数をモニタする必要がある。
【０００８】
例えば、図６に示すように、２つの署所に設置された受信設備１３０Ａ及び１３０Ｂに対して同一の無線周波数が割り当てられた緊急通報指令システム１００において、受信設備１３０Ａに対する有線回線に障害が発生した状態で、受信設備１３０Ａが設置された署所（以下、「署所Ａ」とする）管内における緊急事案と、受信設備１３０Ｂが設置された署所（以下、「署所Ｂ」とする）管内における火災が略々同時に発生した場合について考える。
【０００９】
この場合、指令設備１１０は、署所Ａに対する救急指令と、署所Ｂに対する火災指令を略々同時に送出することになる。このとき、受信設備１３０Ｂが設置された署所Ｂでは、有線回線が正常であるため、有線回線を用いた指令となる。一方、受信設備１３０Ａが設置された署所Ａでは、有線回線に障害が発生しているため、無線回線を用いたバックアップ指令が起動する。
【００１０】
ここで、署所Ａに対する指令内容（指令時間）が署所Ｂに対する指令内容（指令時間）よりも短い場合、署所Ａに対する指令が署所Ｂに対する指令よりも先に終了し、交換機１１１に設けられた中央制御装置１１５は、無線設備１２０を介して、無線バックアップ指令の復旧トーン信号を署所Ａの無線受令機１３２Ａに対して送出する。
【００１１】
このとき、受信設備１３０Ａ及び１３０Ｂでは、同一の無線周波数が割り当てられているため、署所Ｂの無線受令機１３２Ｂにおいても、この復旧トーン信号を同時に受信することになる。そのため、受信設備１３０Ｂでは、火災指令内容が終了する前に、復旧トーン信号に基づき有線指令を復旧させる処理が行われる。
【００１２】
すなわち、複数の署所において同一の無線周波数を使用する場合で、指令内容が異なる指令が略々同時に送出されるときには、有線回線が正常な署所において、指令を正常に受信することが困難になるという問題があった。
【００１３】
また、近年の無線通信のデジタル化に伴い、起動トーン信号や復旧トーン信号をＶｏＩＰ（Voice over Internet Protocol）化する必要があるが、デジタル化された音声信号をアナログ音声信号に復元した場合には、正確な周波数に復元されず、起動や復旧を認識することができない虞があるという問題があった。
【００１４】
そこで、本発明は、上記従来の技術における問題点に鑑みてなされたものであって、複数の署所において同一の無線周波数を使用する場合であっても、各々の署所に対する指令を適切に受信することが可能な緊急通報指令システムを提供することを目的とする。
【課題を解決するための手段】
【００１５】
上記目的を達成するため、本発明は、緊急通報を受け付ける受付台に接続された指令設備と、該指令設備に接続された複数の署所に設けられた受信設備に対して有線回線及び／又は無線回線を用いて指令を送出する緊急通報指令システムであって、各々の署所に対して指令を送出する際に使用する有線回線の状態を監視すると共に、所定の有線回線に障害が発生したと判断した場合に、前記障害対象の有線回線で接続された署所に対して指令を送出する際の回線を、有線回線から無線回線に切り替えるように制御する中央制御装置と、前記各々の署所に対して固有に割り当てられた識別情報と、前記各々の署所に対して無線回線を用いて無線通信を行う際に使用する無線周波数を示す無線周波数情報と、前記無線通信の際に使用する基地局を示す無線基地局情報とが互いに関連付けられて登録された無線バックアップ情報データベースとを備える指令設備と、前記無線回線を用いて前記指令設備からの指令を受信する無線受令機と、前記有線回線を用いて前記指令設備からの指令を受信すると共に、前記無線受令機で前記指令を受信した場合に、前記無線受令機を介して前記指令を受信する指令受信装置とを備える受信設備とからなり、前記中央制御装置は、所定の有線回線に障害が発生したと判断した場合に、前記無線バックアップ情報データベースを参照し、前記障害対象の有線回線で接続された署所に対応する識別情報を付与した指令開始信号を、無線回線を用いて前記複数の署所に対して送出すると共に、前記障害対象の有線回線に接続された署所に対する指令を前記無線回線を介して送出し、前記無線受令機は、前記無線回線を用いて送出された前記指令開始信号を受信し、前記指令開始信号に含まれる前記識別情報に基づき、前記指令受信装置に対する回線を有線回線から無線回線に切り替えるように前記指令受信装置を制御すると共に、前記無線回線を介して受信した前記指令を前記指令受信装置に対して送出することを特徴とする。
【００１６】
そして、本発明によれば、中央制御装置から送出される、障害対象の有線回線で接続された署所の識別情報を付与した指令開始信号を、各々の署所の受信設備に対して送出するため、障害対象の有線回線で接続された受信設備の回線のみを、有線回線から無線回線に切り替えることができるため、複数の署所で同一の無線周波数を使用する場合でも、各々の署所において指令を適切に受信することができる。
【００１７】
上記緊急通報指令システムにおいて、前記中央制御装置は、前記所定の有線回線に発生した障害が復旧したと判断した場合に、前記無線バックアップ情報データベースを参照し、前記障害が復旧した有線回線で接続された署所に対応する識別情報を付与した指令復旧信号を、無線回線を用いて前記複数の署所に対して送出し、前記無線受令機は、前記無線回線を用いて送出された前記指令復旧信号を受信し、前記指令復旧信号に含まれる前記識別情報に基づき、前記指令受信装置に対する回線を無線回線から有線回線に切り替えるように前記指令受信装置を制御することができる。これにより、障害が復旧した有線回線に接続された署所の受信設備のみを、無線回線から有線回線に切り替えることができる。
【００１８】
上記緊急通報指令システムにおいて、前記中央制御装置は、前記指令受信装置に接続された有線回線の状態を判断するための回線監視信号を、前記指令受信装置に対して所定の周期で送出し、前記回線監視信号に対する応答を示す回線監視応答信号を所定時間以上受信しない場合に、前記有線回線に障害が発生したと判断することができる。これにより、有線回線に障害が発生したか否かを確実に検出することができる。
【００１９】
上記緊急通報指令システムにおいて、前記中央制御装置から前記無線回線を介して送出される前記指令開始信号、前記指令復旧信号及び／又は前記指令を、デジタル無線を用いて前記無線受令機に対して送出することができる。これにより、受信設備の無線バックアップ起動や復旧を確実に認識することができる。
【発明の効果】
【００２０】
以上のように、本発明によれば、複数の署所において同一の無線周波数を使用する場合であっても、各々の署所に対する指令を適切に受信することが可能になる。
【図面の簡単な説明】
【００２１】
【図１】本発明に係る指令システムの一実施の形態を示すブロック図である。
【図２】中央制御装置による有線回線の監視処理について説明するための略線図である。
【図３】無線バックアップ起動処理について説明するための略線図である。
【図４】無線バックアップ指令音声送出処理について説明するための略線図である。
【図５】指令終了処理について説明するための略線図である。
【図６】従来の指令システムの構成の一例を示すブロック図である。
【発明を実施するための形態】
【００２２】
次に、本発明を実施するための形態について、図面を参照しながら詳細に説明する。
【００２３】
図１は、本発明にかかる指令システムの一実施の形態を示し、この指令システム１は、消防等の緊急通報を受け付ける図示しない受付台に接続される指令設備１０と、無線回線により指令設備１０に接続された無線設備２０と、有線回線により指令設備１０に接続された複数の署所に設けられた受信設備３０Ａ、３０Ｂ、・・・とで構成される。また、受信設備３０Ａ、３０Ｂ、・・・は、無線回線により無線設備２０にも接続される。尚、図１に示す例は、２つの受信設備３０Ａ及び３０Ｂが指令設備１０と接続される場合を示し、以下の説明において、受信設備３０Ａ及び３０Ｂを特に区別する必要がない場合は、単に「受信設備３０」と称して説明する。
【００２４】
指令設備１０は、図示しない受付台で受け付けた緊急通報等に基づき、指令対象となる署所に設けられた受信設備３０に対する有線回線を用いた指令音声の伝送や、無線回線を用いたデジタル無線による指令音声伝送を行う交換機１１と、指令開始操作を行う自動出動指令端末１２と、自動出動指令端末１２に対する指令開始操作に基づき、指令対象となる受信設備３０に対する指令を開始するための指令開始信号を生成する自動出動指定装置１３と、指令対象の受信設備３０に対して伝送するための合成指令音声を生成する音声合成装置１４とを備える。尚、以下では、特に説明しない限り、「デジタル無線」を単に「無線」と称して説明する。
【００２５】
交換機１１は、中央制御装置１５を備え、指令用トランク１６、無線用トランク１７、及び音声合成用トランク１８が接続される。中央制御装置１５は、有線回線で接続された各署所の受信設備３０との接続状態を監視し、有線回線に障害が発生したか否かを検出する。そして、障害が検出された場合には、障害対象となる署所の受信設備との接続を、有線回線から無線回線に切り替える無線バックアップ起動処理を行う。
【００２６】
また、中央制御装置１５は、無線バックアップ情報データベース１９を有する。無線バックアップ情報データベース１９には、例えば、各受信設備３０に設置された後述する無線受令機３２に対して固有に割り当てられた識別情報としての無線受令機ＩＤ（IDentification）と、無線通信の際に使用する無線周波数を示す無線周波数情報と、無線通信の際に使用する無線基地局を示す無線基地局情報とが互いに関連付けられて、各受信設備３０毎に登録される。
【００２７】
無線設備２０は、指令設備１０の交換機１１に設けられた中央制御装置１５及び無線用トランク１７に接続され、中央制御装置１５から供給される情報に基づき、使用する無線周波数や無線基地局を制御する無線回線制御装置２１と、無線回線制御装置２１に接続され、各受信設備３０の無線受令機３２と無線通信を行う無線基地局２２とで構成される。
【００２８】
各署所に設けられる受信設備３０は、指令設備１０からの指令音声を受信する指令受信装置３１と、無線回線を使用して通信を行い、指令設備１０からの指令音声を受信する無線受令機３２と、署所の館内の放送を制御し、指令受信装置３１で受け取った指令音声を放送する放送制御装置３３とで構成される。
【００２９】
次に、上記構成を有する指令システム１の動作について説明する。
【００３０】
まず、中央制御装置１５による有線回線の監視処理について、図２を参照して説明する。図２に示すように、中央制御装置１５は、各署所の受信設備３０における指令受信装置３１対して所定の周期ａで回線監視用ＰＢ信号を送出する。指令受信装置３１は、中央制御装置１５からの回線監視用ＰＢ信号を受信すると、中央制御装置１５に対して回線監視応答信号を送出する。
【００３１】
ここで、中央制御装置１５は、回線監視用ＰＢ信号の送受信が所定時間ｂ以上途切れた場合に、監視対象となる署所の受信設備３０との間の有線回線に障害が発生したと判断する。例えば、指令受信装置３１Ａとの間の有線回線に障害が発生した場合、中央制御装置１５から指令受信装置３１Ａに対して回線監視用ＰＢ信号を送出しても、指令受信装置３１Ａは、この回線監視用ＰＢ信号を受信することができないため、回線監視用ＰＢ信号に対する回線監視応答信号を送出することができない。そのため、中央制御装置１５は、指令受信装置３１Ａからの回線監視応答信号を受信することができない。このような状態が所定時間ｂ以上続いた場合、中央制御装置１５は、指令受信装置３１Ａとの間に発生した有線回線の障害を検出することができる。
【００３２】
次に、障害対象の受信設備３０に対して用いる回線を、有線回線から無線回線に切り替えるための無線バックアップ起動処理について、図３を参照して説明する。尚、以下の説明では、複数の受信設備３０のうち、受信設備３０Ａに対する有線回線に障害が発生した場合を例にとって説明する。
【００３３】
中央制御装置１５は、上述の監視処理により、受信設備３０Ａの有線回線に障害が発生したことを検出すると、無線バックアップ情報データベース１９を参照し、受信設備３０Ａの無線受令機３２Ａに割り当てられた無線受令機ＩＤを判別する（シーケンスＳＥＱ１）。自動出動指令端末１２にて障害対象の署所を指定して指令開始操作を実行した場合（シーケンスＳＥＱ２）、自動出動指令装置１３経由で中央制御装置１５へ指令電文が送信される（シーケンスＳＥＱ３）。
【００３４】
中央制御装置１５は、指令対象の署所が有線回線障害中であることを判別し、指令開始信号を受信すると、無線バックアップ情報データベース１９を参照し、無線受令機ＩＤに関連付けられた無線周波数情報及び無線基地局情報を含む指令開始要求電文を、無線設備２０の無線回線制御装置２１に対して送出する（シーケンスＳＥＱ４）。
【００３５】
無線回線制御装置２１は、指令設備１０から指令開始要求電文を受信すると、この電文に含まれる無線周波数情報及び無線基地局情報に基づき、該当する無線周波数及び無線基地局を無線指令で使用するための予約処理を行う（シーケンスＳＥＱ５）。
【００３６】
また、中央制御装置１５は、無線回線制御装置２１に対して、指令対象となる受信設備３０Ａの無線受令機ＩＤを送信する。無線回線制御装置２１は、受信した受信設備３０Ａの無線受令機ＩＤに基づき、無線基地局情報が示す無線基地局２２を介して無線受令機３２Ａに対して指令開始要求の無線電文を送信する（シーケンスＳＥＱ６）。この指令開始要求の無線電文には、無線受令機ＩＤが含まれる。
【００３７】
無線受令機３２Ａは、無線基地局２２から受信した指令開始要求の無線電文に基づき、アンプ起動用信号を指令受信装置３１Ａに対して送信する（シーケンスＳＥＱ７）。指令受信装置３１Ａは、受信したアンプ起動用信号に基づき、放送制御装置３３Ａのアンプを起動させる。（シーケンスＳＥＱ８）
【００３８】
尚、無線受令機３２Ｂにおいて、同一の無線周波数をモニタしている場合には、上述の無線基地局２２からの指令開始要求の無線電文を受信することになる。しかし、この無線電文に含まれる無線受令機ＩＤは、無線受令機３２Ｂに割り当てられた無線受令機ＩＤと異なるため、無線受令機３２Ｂは、指令受信装置３１Ｂに対してアンプ起動用信号を送信しない。これにより、有線回線に障害が発生した署所についてのみ、回線を無線回線に切り替えることができる。
【００３９】
次に、無線回線に対して指令音声を送出するための無線バックアップ指令音声送出処理について、図４を参照して説明する。自動出動指定装置１３は、図３のシーケンスＳＥＱ３において、自動出動指令端末１２に対して指令開始信号を送出した後、音声合成装置１４に対して送出する合成指令音声を登録する（シーケンスＳＥＱ１１）。
【００４０】
また、中央制御装置１５は、図３のシーケンスＳＥＱ４において、無線回線制御装置２１に対して指令開始要求電文を送出した後、無線バックアップ情報データベース１９に登録された無線周波数情報及び無線基地局情報を参照する（シーケンスＳＥＱ１２）。そして、中央制御装置１５は、無線周波数情報に基づき無線指令用の無線周波数として使用する無線用トランク１７と音声合成用トランク１８とを接続し（シーケンスＳＥＱ１３）、音声合成用トランク１８を介して音声合成装置１４に対してリンガ発信する。
【００４１】
音声合成装置１４は、中央制御装置１５からのリンガ発信により、着信の認識や自動応答、合成指令音声の送出を行う（シーケンスＳＥＱ１４）。中央制御装置１５は、プレス信号と、音声合成用トランク１８を介して音声合成装置１４から受け取った合成指令音声とを、無線用トランク１７を介して無線回線制御装置２１に対して送出する（シーケンスＳＥＱ１５）。
【００４２】
無線回線制御装置２１は、無線基地局２２を介して、受信した合成指令音声を無線受令機３２Ａに対して送出する（シーケンスＳＥＱ１６）。無線受令機３２Ａは、受信した合成指令音声をアナログ音声に変換し、指令受信装置３１Ａを介して放送制御装置３３Ａに送信する（シーケンスＳＥＱ１７）。そして、放送制御装置３３Ａは、受信したアナログ信号の合成指令音声を全館に放送する。
【００４３】
尚、上述した無線バックアップ起動処理と同様に、無線受令機３２Ｂにおいて、同一の無線周波数をモニタしている場合、受信設備３０Ｂは、上述した無線基地局２２からの合成指令音声を受信することになるが、無線受令機ＩＤが異なるため、受信した合成指令音声を全館に放送しない。
【００４４】
次に、有線回線の障害が復旧した場合における、無線回線を用いた指令を終了するための指令終了処理について、図５を参照して説明する。
【００４５】
有線回線の障害が復旧し、無線回線を使用した合成指令音声の送出を終了する場合、中央制御装置１５は、無線用トランク１７及び音声合成用トランク１８の接続を切断し（シーケンスＳＥＱ２１）、有線回線に対して発生した障害が復旧したことを示す指令復旧要求信号を無線回線制御装置２１に対して送出する（シーケンスＳＥＱ２２）。
【００４６】
無線回線制御装置２１は、無線基地局２２を介して、受信した指令復旧要求信号を無線電文として無線受令機３２Ａに対して送出する（シーケンスＳＥＱ２３）。無線受令機３２Ａは、無線基地局２２から受信した指令復旧要求の無線電文に基づき、アンプ復旧信号を指令受信装置３１Ａに対して送信する（シーケンスＳＥＱ２４）。
【００４７】
尚、上述した無線バックアップ起動処理及び無線バックアップ指令音声送出処理と同様に、無線受令機３２Ｂにおいて、同一の無線周波数をモニタしている場合、受信設備３０Ｂは、上述した無線基地局２２からの指令復旧要求を受信することになるが、無線受令機３２Ｂは、指令受信装置３１Ｂに対してアンプ復旧信号を送信しない。
【００４８】
以上のように、本実施の形態によれば、指令設備に設けられた交換機において、各署所に接続された有線回線の状態を監視し、有線回線に障害が発生した際に、障害対象の有線回線に接続された署所に対応するＩＤを付与した無線電文を送出し、各署所に設置された無線受令機において、ＩＤに基づき回線を有線回線から無線回線に切り替える。これにより、有線回線が正常な署所においては、有線回線を使用して指令を受信でき、また、有線回線に障害が発生した署所においては、無線回線を使用して指令を受信できるため、複数の署所で同一の無線周波数を使用する場合でも、各々の署所で指令を適切に受信することができる。
【００４９】
また、本実施の形態によれば、デジタル無線を用いた無線通信により、指令設備から受信設備に対して無線バックアップの起動信号や復旧信号を送出するため、例えばＶｏＩＰ化した無線音声信号をアナログ音声信号に復元した際の歪み等に影響されることなく、無線バックアップ起動や復旧を行うことができる。
【００５０】
以上、本発明の実施の形態について説明したが、本発明は、上述した本発明の実施の形態に限定されるものではなく、本発明の要旨を逸脱しない範囲内で様々な変形や応用が可能である。例えば、上述の例では、指令設備１０に設けられた交換機１１と、各署所の受信設備３０に設けられた指令受信装置３１とを有線回線により接続するが、この例に限られず、回線の状態を監視し、回線に障害が発生した際に、異常な状態を検出することが可能なシステムであれば、専用線や局線、ＶｏＩＰを利用したネットワーク回線を適用してもよい。
【符号の説明】
【００５１】
１０  指令設備
１１  交換機
１２  自動出動指令端末
１３  自動出動指定装置
１４  音声合成装置
１５  中央制御装置
１６  指令用トランク
１７  無線用トランク
１８  音声合成用トランク
１９  無線バックアップ情報データベース
２０  無線設備
２１  無線回線制御装置
２２  無線基地局
３０（３０Ａ、３０Ｂ）  受信設備
３１（３１Ａ、３１Ｂ）  指令受信装置
３２（３２Ａ、３２Ｂ）  無線受令機
３３（３３Ａ、３３Ｂ）  放送制御装置
【図１】
2013258442.tif 000003
【図２】
2013258442.tif 000004
【図３】
2013258442.tif 000005
【図４】
2013258442.tif 000006
【図５】
2013258442.tif 000007
【図６】
2013258442.tif 000008